(57)【要約】【課題】  ユーザの要望に応じた画像処理を可能とする電子カメラおよび画像処理プログラムを実現すること。【解決手段】  被写体像を撮像して画像データを取得する撮影手段と、撮影手段により取得された画像データに対して、少なくとも階調補正処理を含む画像処理を施す画像処理手段と、画像処理手段により画像処理が施された画像データを表示する表示手段と、表示手段により表示された画像データを複数の領域に分割する分割手段と、ユーザ指示に基づいて、複数の領域のうち少なくとも１つの領域を、補正領域として選択する選択手段と、補正領域における画像データの階調特性分布を判定する判定手段と、ユーザ指示に基づいて、階調特性分布の補正内容を指定する指定手段とを備え、画像処理手段は、撮影手段により取得された画像データと、画像処理手段による画像処理の途中または画像処理後の画像データとの何れかに対して、その画像データのうち、補正領域における画像データの階調特性分布を、指定手段により指定された補正内容に基づいて補正する。【選択図】      図２
2008035457.tif 000002
【特許請求の範囲】
【請求項１】
被写体像を撮像して画像データを取得する撮影手段と、
前記撮影手段により取得された前記画像データに対して、少なくとも階調補正処理を含む画像処理を施す画像処理手段と、
前記画像処理手段により画像処理が施された前記画像データを表示する表示手段と、
前記表示手段により表示された前記画像データを複数の領域に分割する分割手段と、
ユーザ指示に基づいて、前記複数の領域のうち少なくとも１つの領域を、補正領域として選択する選択手段と、
前記補正領域における前記画像データの階調特性分布を判定する判定手段と、
ユーザ指示に基づいて、前記階調特性分布の補正内容を指定する指定手段とを備え、
前記画像処理手段は、前記撮影手段により取得された前記画像データと、前記画像処理手段による画像処理の途中または画像処理後の前記画像データとの何れかに対して、その画像データのうち、前記補正領域における前記画像データの前記階調特性分布を、前記指定手段により指定された前記補正内容に基づいて補正する
ことを特徴とする電子カメラ。
【請求項２】
請求項１に記載の電子カメラにおいて、
前記画像処理手段は、前記補正領域における前記画像データの前記階調特性分布を補正する際に、前記補正領域における前記画像データの前記階調特性と、隣接する部分の階調特性とを補完し相互の連続性が保たれるように補正する
ことを特徴とする電子カメラ。
【請求項３】
請求項２に記載の電子カメラにおいて、
前記画像処理手段は、前記補正領域における前記画像データの前記階調特性と、隣接する部分の階調特性とを補完する際に、前記補正領域における前記画像データの前記階調特性分布に応じて、補完の対象となる隣接する部分の階調特性の幅を決定する
ことを特徴とする電子カメラ。
【請求項４】
被写体像を撮像して画像データを取得する撮影手段と、
前記撮影手段により取得された前記画像データに対して、少なくとも色変換処理を含む画像処理を施す画像処理手段と、
前記画像処理手段により画像処理が施された前記画像データを表示する表示手段と、
前記表示手段により表示された前記画像データを複数の領域に分割する分割手段と、
ユーザ指示に基づいて、前記複数の領域のうち少なくとも１つの領域を、補正領域として選択する選択手段と、
前記補正領域における前記画像データの彩度分布を判定する判定手段と、
ユーザ指示に基づいて、前記彩度分布の補正内容を指定する指定手段とを備え、
前記画像処理手段は、前記撮影手段により取得された前記画像データと、前記画像処理手段による画像処理の途中または画像処理後の前記画像データとの何れかに対して、その画像データのうち、前記補正領域における前記画像データの前記彩度分布を、前記指定手段により指定された前記補正内容に基づいて補正する
ことを特徴とする電子カメラ。
【請求項５】
請求項４に記載の電子カメラにおいて、
前記画像処理手段は、前記補正領域における前記画像データの前記彩度分布を補正する際に、前記補正領域における前記画像データの前記彩度と、隣接する部分の彩度とを補完し相互の連続性が保たれるように補正する
ことを特徴とする電子カメラ。
【請求項６】
請求項５に記載の電子カメラにおいて、
前記画像処理手段は、前記補正領域における前記画像データの前記彩度と、隣接する部分の彩度とを補完する際に、前記補正領域における前記画像データの前記彩度分布に応じて、補完の対象となる隣接する部分の彩度の幅を決定する
ことを特徴とする電子カメラ。
【請求項７】
請求項１または請求項４に記載の電子カメラにおいて、
前記撮影手段は、前記画像データとして、ＲＡＷデータを取得する
ことを特徴とする電子カメラ。
【請求項８】
請求項１または請求項４に記載の電子カメラにおいて、
前記表示手段は、前記選択手段により選択された前記補正領域を識別可能に表示する
ことを特徴とする電子カメラ。
【請求項９】
処理対象の画像データに対する画像処理をコンピュータで実現する画像処理プログラムであって、
前記処理対象の画像データを取得する取得ステップと、
処理対象の画像データに対して、少なくとも階調補正処理を含む画像処理を施す画像処理ステップと、
前記画像処理ステップにおいて画像処理が施された前記処理対象の画像データを表示する表示ステップと、
前記表示ステップにおいて表示された前記処理対象の画像データを複数の領域に分割する分割ステップと、
ユーザ指示に基づいて、前記複数の領域のうち少なくとも１つの領域を、補正領域として選択する選択ステップと、
前記補正領域における前記処理対象の画像データの階調特性分布を判定する判定ステップと、
ユーザ指示に基づいて、前記階調特性分布の補正内容を指定する指定ステップと、
前記処理対象の画像データと、前記画像処理ステップによる画像処理の途中または画像処理後の前記処理対象の画像データとの何れかに対して、その画像データのうち、前記補正領域における前記処理対象の画像データの前記階調特性分布を、前記指定ステップにおいて指定された前記補正内容に基づいて補正する第２の画像処理ステップと
を備えたことを特徴とする画像処理プログラム。
【請求項１０】
処理対象の画像データに対する画像処理をコンピュータで実現する画像処理プログラムであって、
前記処理対象の画像データを取得する取得ステップと、
処理対象の画像データに対して、少なくとも色変換処理を含む画像処理を施す画像処理ステップと、
前記画像処理ステップにおいて画像処理が施された前記処理対象の画像データを表示する表示ステップと、
前記表示ステップにおいて表示された前記処理対象の画像データを複数の領域に分割する分割ステップと、
ユーザ指示に基づいて、前記複数の領域のうち少なくとも１つの領域を、補正領域として選択する選択ステップと、
前記補正領域における前記処理対象の画像データの彩度分布を判定する判定ステップと、
ユーザ指示に基づいて、前記彩度分布の補正内容を指定する指定ステップと、
前記処理対象の画像データと、前記画像処理ステップによる画像処理の途中または画像処理後の前記処理対象の画像データとの何れかに対して、その画像データのうち、前記補正領域における前記処理対象の画像データの前記彩度分布を、前記指定ステップにおいて指定された前記補正内容に基づいて補正する第２の画像処理ステップと
を備えたことを特徴とする画像処理プログラム。
【発明の詳細な説明】
【技術分野】
【０００１】
本発明は、被写体を撮像して画像データを取得する電子カメラ、および、処理対象の画像データに対する画像処理をコンピュータで実現する画像処理プログラムに関する。
【背景技術】
【０００２】
電子カメラで使用される撮像素子（ＣＣＤ／ＣＭＯＳセンサ等）は、銀塩フィルムに較べ階調に関するダイナミックレンジが狭い。そのため、明暗の幅が広い被写界を撮影した場合には、黒つぶれや白飛びが発生してしまうことがある。
そこで、撮影時の設定や被写界の輝度分布を検出して、後処理としてダイナミックレンジ圧縮を行う技術が考えられている。例えば、特許文献１の発明では、主要被写体を検出し、その部分に対してダイナミックレンジ圧縮を施すことにより、適切な階調補正を行っている。
【特許文献１】特開２００２−２３２７７７号公報
【発明の開示】
【発明が解決しようとする課題】
【０００３】
しかし、特許文献１の発明では、主要被写体の部分に対して、予め定められたダイナミックレンジ圧縮を施すため、ユーザの要望に合った階調補正が行われない場合がある。例えば、主要被写体以外の部分など、ユーザが階調補正を行いたいと希望する部分において適切な階調補正が行われない場合や、ユーザの好みに合わせた階調補正が行われない場合がある。このような問題は、色変換処理においても同様に発生する。
【０００４】
本発明は、ユーザの要望に応じた画像処理を可能とする電子カメラおよび画像処理プログラムを実現することを目的とする。
【課題を解決するための手段】
【０００５】
本発明の電子カメラは、被写体像を撮像して画像データを取得する撮影手段と、前記撮影手段により取得された前記画像データに対して、少なくとも階調補正処理を含む画像処理を施す画像処理手段と、前記画像処理手段により画像処理が施された前記画像データを表示する表示手段と、前記表示手段により表示された前記画像データを複数の領域に分割する分割手段と、ユーザ指示に基づいて、前記複数の領域のうち少なくとも１つの領域を、補正領域として選択する選択手段と、前記補正領域における前記画像データの階調特性分布を判定する判定手段と、ユーザ指示に基づいて、前記階調特性分布の補正内容を指定する指定手段とを備え、前記画像処理手段は、前記撮影手段により取得された前記画像データと、前記画像処理手段による画像処理の途中または画像処理後の前記画像データとの何れかに対して、その画像データのうち、前記補正領域における前記画像データの前記階調特性分布を、前記指定手段により指定された前記補正内容に基づいて補正する。
【０００６】
なお、好ましくは、前記画像処理手段は、前記補正領域における前記画像データの前記階調特性分布を補正する際に、前記補正領域における前記画像データの前記階調特性と、隣接する部分の階調特性とを補完し相互の連続性が保たれるように補正しても良い。
また、好ましくは、前記画像処理手段は、前記補正領域における前記画像データの前記階調特性と、隣接する部分の階調特性とを補完する際に、前記補正領域における前記画像データの前記階調特性分布に応じて、補完の対象となる隣接する部分の階調特性の幅を決定しても良い。
【０００７】
本発明の別の電子カメラは、被写体像を撮像して画像データを取得する撮影手段と、前記撮影手段により取得された前記画像データに対して、少なくとも色変換処理を含む画像処理を施す画像処理手段と、前記画像処理手段により画像処理が施された前記画像データを表示する表示手段と、前記表示手段により表示された前記画像データを複数の領域に分割する分割手段と、ユーザ指示に基づいて、前記複数の領域のうち少なくとも１つの領域を、補正領域として選択する選択手段と、前記補正領域における前記画像データの彩度分布を判定する判定手段と、ユーザ指示に基づいて、前記彩度分布の補正内容を指定する指定手段とを備え、前記画像処理手段は、前記撮影手段により取得された前記画像データと、前記画像処理手段による画像処理の途中または画像処理後の前記画像データとの何れかに対して、その画像データのうち、前記補正領域における前記画像データの前記彩度分布を、前記指定手段により指定された前記補正内容に基づいて補正する。
【０００８】
なお、好ましくは、前記画像処理手段は、前記補正領域における前記画像データの前記彩度分布を補正する際に、前記補正領域における前記画像データの前記彩度と、隣接する部分の彩度とを補完し相互の連続性が保たれるように補正しても良い。
また、好ましくは、前記画像処理手段は、前記補正領域における前記画像データの前記彩度と、隣接する部分の彩度とを補完する際に、前記補正領域における前記画像データの前記彩度分布に応じて、補完の対象となる隣接する部分の彩度の幅を決定しても良い。
【０００９】
また、好ましくは、前記撮影手段は、前記画像データとして、ＲＡＷデータを取得しても良い。
また、好ましくは、前記表示手段は、前記選択手段により選択された前記補正領域を識別可能に表示しても良い。
なお、上記発明に関する構成を、処理対象の画像データに対する画像処理を実現するための画像処理プログラムに変換して表現したものも本発明の具体的態様として有効である。
【発明の効果】
【００１０】
本発明によれば、ユーザの要望に応じた画像処理を可能とする電子カメラおよび画像処理プログラムを実現することができる。
【発明を実施するための最良の形態】
【００１１】
以下、本発明の実施形態について説明する。本実施形態の電子カメラ１は、図１の背面外観図に示すように、上面に電源ボタン２、レリーズボタン３を備える。また、背面に液晶モニタ４、ズームボタン５、十字ボタン６、十字ボタンの中央に配置される決定ボタン７を備える。電子カメラ１は、この他に、メニューボタン、モード選択ボタン、再生ボタン、ゴミ箱ボタンなどを備えても良い。
【００１２】
図２は、電子カメラ１の機能ブロック図である。電子カメラ１は、図２に示すように、不図示の撮影レンズや撮像素子などを含む撮像部１０、電源ボタン２、レリーズボタン３、ズームボタン５、十字ボタン６、決定ボタン７などを含む操作部１１、各部を制御する制御部１２、液晶モニタ４の表示内容を制御する表示処理部１３、撮像部により取得した画像データに対して画像処理を施す画像処理部１４、画像データなどを記録する記録部１５、液晶モニタ４に対するユーザの接触を検知する検知部１６を備える。
【００１３】
液晶モニタ４は、ＴＦＴ液晶などの表示素子を備えたタッチパネル方式のモニタである。ユーザは、液晶モニタ４に指やタッチペンなどで接触することにより、各種選択などを行うことができる。
図２において、撮像部１０、表示処理部１３、画像処理部１４、記録部１５は、制御部１２と相互に接続される。また、操作部１１および検知部１６の状態は制御部１２により検知され、表示処理部１３の出力は液晶モニタ４に接続される。
【００１４】
以上説明した構成の電子カメラ１の、撮像時における制御部１２の動作について、図３に示すフローチャートを用いて説明する。
ステップＳ１において、制御部１２は、操作部１１を介して撮像指示が行われたか否かを判定する。制御部１２は、撮像指示が行われるまで待機し、撮像指示が行われると、ステップ２に進む。
【００１５】
ステップＳ２において、制御部１２は、撮像部１０を介して被写体像を撮像してＲＡＷデータを取得する。
ステップＳ３において、制御部１２は、画像処理部１４を制御して、ステップＳ２で取得したＲＡＷデータに対してホワイトバランス調整処理を施す。
ステップＳ４において、制御部１２は、画像処理部１４を制御して、ホワイトバランス調整処理後の画像データを、制御部１２内の不図示のメモリに一次記録する。
【００１６】
ステップＳ５において、制御部１２は、画像処理部１４を制御して、ホワイトバランス調整処理後の画像データに対して、階調補正処理を施す。このとき、制御部１２は、予め定められた階調特性にしたがって、階調補正処理を施す（詳細は後述する）。
ステップＳ６において、制御部１２は、画像処理部１４を制御して、階調補正処理後の画像データに対して、色変換処理を施す。このとき、制御部１２は、予め定められた色変換特性にしたがって、色変換処理を施す（詳細は後述する）。
【００１７】
ステップＳ７において、制御部１２は、画像処理部１４を制御して、色変換処理後の画像データに対して、輪郭強調処理を施す。
ステップＳ８において、制御部１２は、画像処理部１４を制御して、輪郭強調処理後の画像データに対して、圧縮処理を施す。なお、圧縮処理後の画像データとは、例えば、ｊｐｅｇ形式などの画像データである。
【００１８】
ステップＳ９において、制御部１２は、表示処理部１３を制御して、圧縮処理後の画像データを、液晶モニタ４に表示する。
このとき、制御部１２は、図４Ａに示すように、圧縮処理後の画像データを分割して表示する。図４Ａの例では縦横にそれぞれ５等分し、２５の領域に分割する例を示す。なお、分割数は図４Ａの例に限定されない。また、分割後の各領域の形状も図４Ａの例に限定されない。
【００１９】
ステップＳ１０において、制御部１２は、検知部１６を介して補正領域が選択されたか否かを判定する。制御部１２は、補正領域が選択されたと判定するとステップＳ１１に進み、補正領域が選択されないと判定すると後述するステップ１７に進む。
補正領域とは、ユーザが補正（階調補正処理と色変換処理との少なくとも一方）を行いたいと希望する領域である。制御部１２は、補正したい領域の選択をユーザに促すメッセージＭ１（図４Ａ参照）を液晶モニタ４に表示する。ユーザは、液晶モニタ４を目視して、黒つぶれや白飛びが発生している領域や、彩度が好ましくない領域に指やタッチペンなどで接触することにより、補正領域を選択することができる。
【００２０】
ステップＳ１１において、制御部１２は、表示処理部１３を制御して、選択された補正領域を識別可能に液晶モニタ４に表示する。例えば、ステップＳ１０において左上の領域が選択された場合には、制御部１２は、図４Ｂに示すように、その領域の色を変えることにより識別可能にして液晶モニタ４に表示する。
ステップＳ１２において、制御部１２は、検知部１６を介して階調補正の内容が指定されたか否かを判定する。制御部１２は、階調補正の内容が指定されたと判定するとステップＳ１３に進み、階調補正の内容が指定されていないと判定すると後述するステップ１４に進む。
【００２１】
階調補正の内容とは、階調補正処理の方向および度合いである。制御部１２は、階調補正処理の方向および度合いを指定するためのメッセージＭ２（図５Ａ参照）を液晶モニタ４に表示する。ユーザは、液晶モニタ４を目視して、「明るく」または「暗く」の部分に指やタッチペンなどで接触することにより、階調補正処理の方向を指定する。また、「明るく」または「暗く」の部分に指やタッチペンなどで接触する回数により、階調補正処理の度合いを指定する。
【００２２】
なお、階調補正の内容の指定は、図５Ａに示した例の他に、「＋」または「−」により指定可能にしても良いし、数値（例えば「０．３ＥＶ」など）により指定可能にしても良いし、予め定められたいくつかの補正候補から何れかの候補を指定可能にしても良い。
ステップＳ１３において、制御部１２は、ステップＳ１２で指定された階調補正の内容を、制御部１２内の不図示のメモリに記録する。
【００２３】
ステップＳ１４において、制御部１２は、検知部１６を介して色変換処理の内容が指定されたか否かを判定する。制御部１２は、色変換処理の内容が指定されたと判定するとステップＳ１５に進み、色変換処理の内容が指定されていないと判定すると後述するステップ１６に進む。
色変換処理の内容とは、色変換処理の方向および度合いである。制御部１２は、色変換処理の方向および度合いを指定するためのメッセージＭ３（図５Ｂ参照）を液晶モニタ４に表示する。ユーザは、液晶モニタ４を目視して、「赤」、「青」、「緑」の何れかの部分に指やタッチペンなどで接触することにより、色を指定する。また、「鮮やか」または「地味」の部分に指やタッチペンなどで接触することにより、色変換処理の方向を指定する。また、「鮮やか」または「地味」の部分に指やタッチペンなどで接触する回数により、色変換処理の度合いを指定する。
【００２４】
なお、色変換処理の内容の指定は、図５Ｂに示した例の他に、「＋」または「−」により指定可能にしても良いし、数値（例えば「１２０％」など）により指定可能にしても良いし、予め定められたいくつかの補正候補から何れかの候補を指定可能にしても良い。
ステップＳ１５において、制御部１２は、ステップＳ１４で指定された色変換処理の内容を、制御部１２内の不図示のメモリに記録する。
【００２５】
ステップＳ１６において、制御部１２は、ステップＳ４で一次記録したホワイトバランス調整処理後の画像データを、制御部１２内の不図示のメモリから読み出して、ステップＳ５に戻る。
そして、制御部１２は、制御部１２内の不図示のメモリに記録した補正の内容にしたがって、ステップＳ５からの処理（２回目）を行う。
【００２６】
（１）階調補正の内容が制御部１２内の不図示のメモリに記録されている場合（ステップＳ１２ＹＥＳの場合）。
ステップＳ５において、制御部１２は、画像処理部１４を制御して、ステップＳ１６で読み出したホワイトバランス調整処理後の画像データに対して、階調補正処理を施す。
図６Ａに、階調特性分布の例を示す。図６Ａの横軸は入力時の階調を示し、縦軸は出力時の階調を示す。上述した１回目のステップＳ５において、制御部１２は、画像処理部１４を制御して、ホワイトバランス調整処理後の画像データに対して、図６ＡのＬ１に示す予め定められた階調特性にしたがって階調補正処理を施す。しかし、階調補正の内容が制御部１２内の不図示のメモリに記録されている場合には、ステップＳ１０で選択された補正領域において、制御部１２は、予め定められた階調特性（Ｌ１）を変更して、階調補正処理を施す。まず、制御部１２は、ステップＳ１０で選択された補正領域における画像データの階調特性分布を判定する。図６Ａでは、Ｄ１に示す範囲がステップＳ１０で選択された補正領域に対応するものとする。制御部１２は、Ｄ１の幅に応じて、隣接する部分Ｄ２の幅を決定し、Ｄ２に示す範囲において階調特性を補完することにより、変更後の階調特性が滑らかな変化を有するように階調特性を変更する。階調補正処理の方向が「明るく」である場合の例をＬ２に示し、階調補正処理の方向が「暗く」である場合の例をＬ３に示す。このように、階調特性を補完することにより、階調の段差が発生するのを防ぎ、自然な画像データを生成することができる。
【００２７】
なお、Ｄ１の幅に応じて、隣接する部分Ｄ２の幅を決定する際には、補正領域に対応するＤ１の幅が大きいほど、補完の対象となる範囲Ｄ２を広く決定すれば良い。例えば、図６Ｂに示すように、補正領域に対応する幅Ｄ３が、上述したＤ１より狭い場合には、補完の対象となる範囲Ｄ４を、上述したＤ２より狭く決定すれば良い。また、階調補正処理の度合いに応じて、補完の対象となる範囲を決定しても良い。
【００２８】
また、ステップＳ１０で選択された補正領域における画像データの階調特性分布を判定する際には、大きくずれた点（輝点など）を除外するために、全体の８０％程度の分布を見ると良い。
さらに、制御部１２は、ステップＳ６からステップＳ９の処理を上述したとおりに行う。
【００２９】
（２）色変換処理の内容が制御部１２内の不図示のメモリに記録されている場合（ステップＳ１４ＹＥＳの場合）。
ステップＳ５において、制御部１２は、上述したように、画像処理部１４を制御して、ステップＳ１６で読み出したホワイトバランス調整処理後の画像データに対して、階調補正処理を施す。
【００３０】
ステップＳ６において、制御部１２は、画像処理部１４を制御して、階調補正処理後の画像データに対して、色変換処理を施す。
図７に、「赤」の彩度分布の例を示す。図７の横軸は彩度を示し、縦軸は各彩度における出力を示す。上述した１回目のステップＳ６において、制御部１２は、画像処理部１４を制御して、階調補正処理後の画像データに対して、図７のＬ５に示す予め定められた彩度分布にしたがって彩度を補正する。しかし、色変換処理の内容が制御部１２内の不図示のメモリに記録されている場合には、ステップＳ１０で選択された補正領域において、制御部１２は、予め定められた彩度分布（Ｌ５）を変更して、彩度を補正する。まず、制御部１２は、ステップＳ１０で選択された補正領域における画像データの彩度分布を判定する。図７では、Ｄ５に示す範囲がステップＳ１０で選択された補正領域に対応するものとする。制御部１２は、Ｄ５の幅に応じて、隣接する部分Ｄ６の幅を決定し、Ｄ６に示す範囲において彩度分布を補完することにより、変更後の彩度分布が滑らかな変化を有するように彩度分布を変更する。色変換処理の方向が「鮮やか」である場合の例をＬ６に示し、色変換処理の方向が「地味」である場合の例をＬ７に示す。このように、彩度分布を補完することにより、色彩の変化を滑らかにし、自然な画像データを生成することができる。
【００３１】
なお、Ｄ５の幅に応じて、隣接する部分Ｄ６の幅を決定する際には、上述した階調特性と同様に、補正領域に対応するＤ５の幅が大きいほど、補完の対象となる範囲Ｄ６を広く決定すれば良い。また、ステップＳ１０で選択された補正領域における画像データの彩度分布を判定する際には、大きくずれた点（輝点など）を除外するために、全体の８０％程度の分布を見ると良い。なお、「青」および「緑」についても同様である。
【００３２】
さらに、制御部１２は、ステップＳ７からステップＳ９の処理を上述したとおりに行う。
（３）階調補正の内容および色変換処理の内容が制御部１２内の不図示のメモリに記録されている場合（ステップＳ１２およびステップＳ１４ＹＥＳの場合）。
制御部１２は、ステップＳ５において、上述した（１）と同様の処理を行い、ステップＳ６からステップＳ９において、上述した（２）と同様の処理を行う。
【００３３】
制御部１２は、以上説明した（１）から（３）何れかの処理を行い、ステップＳ１０において、補正領域が選択されたと判定するとステップＳ１１に進み、ステップＳ１１以降の処理を上述したとおりに行う。
一方、ステップＳ１０において、補正領域が選択されないと判定すると、ステップＳ１７において、制御部１２は、ステップＳ９で圧縮処理が施された画像データとともに、ステップＳ４で一次記録したホワイトバランス調整処理後の画像データを、記録部１５に記録する。なお、制御部１２は、圧縮処理が施された画像データのみを、記録部１５に記録しても良い。この場合には、ステップＳ４で一次記録したホワイトバランス調整処理後の画像データを消去しても良い。
【００３４】
以上説明したように、本実施形態によれば、被写体像を撮像して画像データを取得する撮影手段と、撮影手段により取得された画像データに対して、少なくとも階調補正処理を含む画像処理を施す画像処理手段と、画像処理手段により画像処理が施された画像データを表示する表示手段と、表示手段により表示された画像データを複数の領域に分割する分割手段と、ユーザ指示に基づいて、複数の領域のうち少なくとも１つの領域を、補正領域として選択する選択手段と、補正領域における画像データの階調特性分布を判定する判定手段と、ユーザ指示に基づいて、階調特性分布の補正内容を指定する指定手段とを備え、撮影手段により取得された画像データと、画像処理手段による画像処理の途中または画像処理後の画像データとの何れかに対して、その画像データのうち、補正領域における画像データの階調特性分布を、指定手段により指定された補正内容に基づいて補正する。したがって、ユーザの要望に応じた階調補正処理を実現することができる。特に、ユーザの要望に応じた部分において、ユーザの要望に応じた補正内容で、階調補正処理を実現することができる。例えば、逆光時の人物の顔部分や、低輝度部の黒つぶれ、晴天青空の白飛び等に対して、ユーザの意図を反映した階調補正処理を実現することができる。
【００３５】
また、本実施形態によれば、補正領域における画像データの階調特性分布を補正する際に、補正領域における画像データの階調特性と、隣接する部分の階調特性とを補完し相互の連続性が保たれるように補正する。したがって、階調補正処理を行った部分と行っていない部分との間に階調の段差が発生するのを防ぎ、自然な画像データを生成することができる。
【００３６】
また、本実施形態によれば、補正領域における画像データの階調特性と、隣接する部分の階調特性とを補完する際に、補正領域における画像データの階調特性分布に応じて、補完の対象となる隣接する部分の階調特性の幅を決定する。したがって、補正領域における画像データの階調特性分布に応じた処理を行うことができる。
また、本実施形態によれば、補正領域における画像データの彩度分布を判定する判定手段と、ユーザ指示に基づいて、彩度分布の補正内容を指定する指定手段とを備え、撮影手段により取得された画像データと、画像処理手段による画像処理の途中または画像処理後の画像データとの何れかに対して、その画像データのうち、補正領域における画像データの彩度分布を、指定手段により指定された補正内容に基づいて補正する。したがって、ユーザの要望に応じた色変換処理を実現することができる。特に、ユーザの要望に応じた部分において、ユーザの要望に応じた補正内容で、色変換処理を実現することができる。
【００３７】
また、本実施形態によれば、補正領域における画像データの彩度分布を補正する際に、補正領域における画像データの彩度と、隣接する部分の彩度とを補完し相互の連続性が保たれるように補正する。したがって、色変換処理を行った部分と行っていない部分との間の色彩の変化を滑らかにし、自然な画像データを生成することができる。
また、本実施形態によれば、補正領域における画像データの彩度と、隣接する部分の彩度とを補完する際に、補正領域における画像データの彩度分布に応じて、補完の対象となる隣接する部分の彩度の幅を決定する。したがって、補正領域における画像データの彩度分布に応じた処理を行うことができる。
【００３８】
また、本実施形態によれば、撮影手段は、画像データとして、ＲＡＷデータを取得する。したがって、画質を落とさずに、ユーザの要望に応じた補正を行うことができる。
また、本実施形態によれば、表示手段は、選択手段により選択された補正領域を識別可能に表示する。したがって、ユーザによる補正領域の選択において、適切な選択を促すことができる。
【００３９】
なお、本実施形態では、階調補正処理と色変換処理との両方について、ユーザの要望に応じた処理を実現可能な構成について説明したが、階調補正処理と色変換処理との何れか一方のみについて、ユーザの要望に応じた処理を実現可能な構成としても良い。なお、色変換処理のみについて、ユーザの要望に応じた処理を実現可能な構成とする場合には、ホワイトバランス調整処理後の画像データの代わりに、ステップＳ５で階調補正処理を施した画像データを、制御部１２内の不図示のメモリに一次記録し、ステップＳ１６の処理後に、ステップＳ６に戻る構成とすると良い。
【００４０】
また、本実施形態では、図３のフローチャートのステップＳ４において、ホワイトバランス調整処理後の画像データを、制御部１２内の不図示のメモリに一次記録する例を示したが、ホワイトバランス調整処理後の画像データの代わりに、ステップＳ２で取得したＲＡＷデータを、制御部１２内の不図示のメモリに一次記録する構成としても良い。この場合、ステップＳ１６の処理後に、ステップＳ３に戻る構成とすれば良い。
【００４１】
また、本実施形態では、撮像時に一連の処理を行う例を示したが、図３のフローチャートのステップＳ９の後に、圧縮処理が施された画像データと、ステップＳ４で一次記録したホワイトバランス調整処理後の画像データとを記録部１５に記録しておき、ユーザ指示にしたがって、記録部１５に記録した画像データを再生するときに、図３のフローチャートのステップＳ１０以降の処理を行う構成としても良い。
【００４２】
また、本実施形態では、図３のフローチャートのステップＳ１０において、１つの補正領域が選択された場合の例を示したが、ステップＳ１０において、複数の補正領域を同時に選択可能な構成としても良い。
また、本実施形態では、図３のフローチャートのステップＳ１０における補正領域の選択と、ステップＳ１２およびステップＳ１４における補正内容の指定を、タッチパネルである液晶モニタ４を介して行う例を示したが、これらの各処理の一部または全部を操作部１１を介して行う構成としても良い。
【００４３】
また、本実施形態では、図３のフローチャートのステップＳ１１において、選択された補正領域の色を変えることにより識別可能にして液晶モニタ４に表示する例を示した（図４Ｂ参照）が、他の方法で識別可能にして表示しても良い。例えば、図６に示した階調特性分布のグラフや図７に示した彩度分布のグラフを液晶モニタ４に表示し、そのグラフのうち、選択された補正領域に対応する部分の色や線種を変えることにより、識別可能に表示しても良い。
【００４４】
また、本実施形態では、電子カメラを例に挙げて説明を行ったが、他の撮像装置あるいはデータ処理装置に本発明を適用しても良い。また、本発明で説明した各処理の一部または全部をコンピュータなどの装置で行う構成としても良い。コンピュータには、図３で示したフローチャートと同様の処理を実現可能なプログラムを予めインストールしておけば良い。そして、コンピュータにおいて、ＲＡＷデータやホワイトバランス調整処理後の画像データなどを取得し、図３で示したフローチャートと同様の処理を実行すれば良い。
【図面の簡単な説明】
【００４５】
【図１】電子カメラ１の背面外観図である。
【図２】電子カメラ１の機能ブロック図である。
【図３】撮像時における制御部１２の動作を示すフローチャートである。
【図４】液晶モニタ４における表示の例を示す図である。
【図５】液晶モニタ４における表示の例を示す別の図である。
【図６】階調特性分布について説明する図である。
【図７】彩度分布について説明する図である。
【符号の説明】
【００４６】
１…電子カメラ，４…液晶モニタ，１０…撮像部，１１…操作部，１２…制御部，１４…画像処理部，１５…記録部，１６…検知部
【図１】
2008035457.tif 000003
【図２】
2008035457.tif 000004
【図３】
2008035457.tif 000005
【図４】
2008035457.tif 000006
【図５】
2008035457.tif 000007
【図６】
2008035457.tif 000008
【図７】
2008035457.tif 000009